(57)【要約】【課題】映像表示装置の画像の内容に連動して視聴環境の照明を制御することにより、映像表示装置の画面に映し出された画像の内容をより効果的に提示する。【解決手段】キーワード抽出部２３が、番組名、放送番組の番組情報に含まれる文字列に基づいて性質キーワードテーブル４０から性質キーワードを抽出し、照明色決定部２４が、性質キーワードに基づいて色と感情の相関関係テーブルから性質キーワードに対応する色を抽出し視聴環境の照明色を決定する。色温度測定部１９が、視聴環境の照明の色温度を測定し、到達時間算出部２５が、視聴環境の照明色に到達するまでの到達時間を算出し、光色算出部２６が、照明色が変化する前の視聴環境の色温度による色度値と、最終的な照明色の色度値の間の分割点の色度値を算出しＲＧＢ値へ変換して照明制御部２１へ送出する。照明制御部２１は、ＲＧＢ値の制御信号を照明装置２２に送信し照明色を制御する。【選択図】図１
2011040963.tif 000002
【特許請求の範囲】
【請求項１】
放送番組の番組情報に基づいて性質キーワードを抽出するキーワード抽出部と、
前記性質キーワードに基づいて視聴環境の照明色を決定する照明色決定部と、
前記照明色に基づいて前記視聴環境の照明装置を制御する照明制御部と
を有することを特徴とする映像表示装置。
【請求項２】
前記キーワード抽出部は、放送番組の番組情報と性質キーワードテーブルを照合して前記性質キーワードを抽出することを特徴とする請求項１記載の映像表示装置。
【請求項３】
前記照明色決定部は、前記性質キーワードと色と感情の相関関係テーブルを照合して視聴環境の照明色を決定することを特徴とする請求項１記載の映像表示装置。
【請求項４】
前記照明色へ変化する前の視聴環境の色温度を測定する色温度測定部と、
変化後の照明色へ到達する到達時間を算出する到達時間算出部と
前記到達時間を所定の時間間隔で分割したときの分割数で、前記色温度による色度値と前記照明色の色度値の間を分割し、分割点毎の色度値を算出する光色算出部とを備え、
前記照明制御部は、前記所定の時間間隔が経過する毎に、対応した分割点毎の色度値となるように前記照明装置を制御することを特徴とする請求項１記載の映像表示装置。
【請求項５】
放送番組の画像における人物を画像認識して該人物の感情データを生成する画像認識部と、
前記感情データに基づいて性質キーワードを抽出するキーワード抽出部と、
前記性質キーワードに基づいて視聴環境の照明色を決定する照明色決定部と、
前記照明色に基づいて前記視聴環境の照明装置を制御する照明制御部と
を有することを特徴とする映像表示装置。
【請求項６】
前記キーワード抽出部は、前記感情データと性質キーワードテーブルを照合して前記性質キーワードを抽出することを特徴とする請求項５記載の映像表示装置。
【請求項７】
前記照明色決定部は、前記性質キーワードと色と感情の相関関係テーブルを照合して視聴環境の照明色を決定することを特徴とする請求項５記載の映像表示装置。
【請求項８】
前記照明色へ変化する前の視聴環境の色温度を測定する色温度測定部と、
変化後の照明色へ到達する到達時間を算出する到達時間算出部と
前記到達時間を所定の時間間隔で分割したときの分割数で、前記色温度による色度値と前記照明色の色度値の間を分割し、分割点毎の色度値を算出する光色算出部とを備え、
前記照明制御部は、前記所定の時間間隔が経過する毎に、対応した分割点毎の色度値となるように前記照明装置を制御することを特徴とする請求項５記載の映像表示装置。
【請求項９】
映像表示装置における視聴環境の照明制御方法であって、
放送番組の番組情報に基づいて性質キーワードを抽出するキーワード抽出ステップと、
前記性質キーワードに基づいて視聴環境の照明色を決定する照明色決定ステップと、
前記照明色に基づいて前記視聴環境の照明装置を制御する照明制御ステップと
を有することを特徴とする照明制御方法。
【請求項１０】
前記照明色へ変化する前の視聴環境の色温度を測定する色温度測定ステップと、
変化後の照明色へ到達する到達時間を算出する到達時間算出ステップと
前記到達時間を所定の時間間隔で分割したときの分割数で、前記色温度による色度値と前記照明色の色度値の間を分割し、分割点毎の色度値を算出する光色算出ステップとを備え、
前記照明制御ステップにおいて、前記所定の時間間隔が経過する毎に、対応した分割点毎の色度値となるように前記照明装置を制御することを特徴とする請求項９記載の照明制御方法。
【発明の詳細な説明】
【技術分野】
【０００１】
本発明は、映像表示装置の画像に連動して視聴環境の照明を制御する映像表示装置及び照明制御方法に関する。
【背景技術】
【０００２】
近年、デジタル放送受信機などの映像表示装置においては、表示デバイスの性能が飛躍的に向上し、また、大画面化されるようになり、家庭でも鮮明で迫力のある映像が楽しめるようになってきた。映像を楽しむ際、更に映像の臨場感を高めるために視聴環境の照明が注目されている。従来、照明については主に視聴環境の明るさに着目されてきたが、明るさ以外に照明の色についても注目されるようになってきた。
【０００３】
光源を画像に連動して制御する画像表示装置であって、光源と、光源を制御する照明制御部と、画像を表示する画像表示部とを備え、照明制御部は、画像表示装置に映し出される画像の全画素の平均色度に対して、画像表示装置の周辺視野の色度が、色度図上で色相がほぼ反対色の色相となるように光源の色度を制御する画像表示装置が考案されている（例えば、特許文献１参照。）。
【先行技術文献】
【特許文献】
【０００４】
【特許文献１】特開２００６−１５６４１６号公報
【発明の概要】
【発明が解決しようとする課題】
【０００５】
特許文献１においては、画像表示装置の画面に映し出された画像の臨場感が高まるように、その映像に連動して鑑賞空間の照明を制御するものである。画像表示装置の平均色度に対してほぼ反対色の色度を照明する制御方法であり、照明出力部はＲＧＢの単色蛍光ランプの出力を調整する。
【０００６】
映像表示装置の画面に映し出された番組の内容、雰囲気に視聴環境の照明が相応しければ、視聴者は番組に没入し更に臨場感が高まる可能性が大きい。快活な番組で照明が青や紫となるよりも赤や黄の方がより番組の内容にマッチしている可能性がある。
【０００７】
本発明は上記したような事情に鑑み成されたものであって、映像表示装置の画像の内容に連動して視聴環境の照明を制御することにより、映像表示装置の画面に映し出された画像の内容をより効果的に提示することができる映像表示装置及び照明制御方法を提供することを目的とする。
【課題を解決するための手段】
【０００８】
上記目的を達成するために、本発明の映像表示装置は、放送番組の番組情報に基づいて性質キーワードを抽出するキーワード抽出部と、前記性質キーワードに基づいて視聴環境の照明色を決定する照明色決定部と、前記照明色に基づいて前記視聴環境の照明装置を制御する照明制御部とを有することを特徴とする。
【０００９】
また、本発明の照明制御方法は、映像表示装置における視聴環境の照明制御方法であって、放送番組の番組情報に基づいて性質キーワードを抽出するキーワード抽出ステップと、前記性質キーワードに基づいて視聴環境の照明色を決定する照明色決ステップと、前記照明色に基づいて前記視聴環境の照明装置を制御する照明制御ステップとを有することを特徴とする。
【発明の効果】
【００１０】
本発明によれば、画像表示装置の画像の内容に連動して視聴環境の照明を制御することにより、画像表示装置の画面に映し出された画像の内容をより効果的に提示することができる。
【図面の簡単な説明】
【００１１】
【図１】本発明による映像表示装置の実施例の構成を示すブロック図。
【図２】性質キーワードテーブルの例を示す図。
【図３】色と感情の相関関係テーブルの例を示す図。
【図４】視聴環境の色度値が変化前の状態から変化後の状態に変化することを示した図。
【図５】図４で示した点Ａから点Ｂまでを拡大した図。
【図６】ＣＩＥ色度図上の色度値からＲＧＢ値を求める一連の式を示した図。
【図７】映像表示装置の照明制御の動作フローを示した図。
【図８】第２の実施例に係わる映像表示装置の構成を示すブロック図。
【発明を実施するための形態】
【００１２】
以下本発明の実施例について図面を参照しながら説明する。
【実施例１】
【００１３】
図１は、本発明による映像表示装置１の実施例の構成を示すブロック図である。アンテナ２は、放送局３０から送信された放送電波を受信するための地上デジタル放送あるいは衛星デジタル放送用のアンテナである。チューナ３は、地上デジタル放送あるいは衛星デジタル放送の放送信号の中から所望のチャンネルの放送信号を選局する。
【００１４】
復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、デジタルの映像信号及び音声信号に復調され、信号処理部５に出力される。
【００１５】
信号処理部５は、復調器４から供給されたデジタルの映像信号及び音声信号を選択的に所定のデジタル信号処理を施して、映像処理部６および音声処理部７へ出力する。信号処理部５は、ＭＰＥＧ（Moving Picture Experts Group）エンコーダ、ＭＰＥＧデコーダ、映像音声デコーダ等の機能を有する。
【００１６】
映像処理部６は、信号処理部５から入力されたデジタルの映像データを、表示装置８で表示可能なフォーマットに変換したり、表示色を任意に調整したりして、表示装置８に出力して映像を表示させる。音声処理部７は、信号処理部５から入力されたデジタルの音声データを、スピーカ９で再生可能なアナログ音声信号に変換した後、スピーカ９に出力して音声を再生させる。
【００１７】
映像表示装置１は、上記した受信動作を含むその全ての動作を制御部１１によって統括的に制御されている。制御部１１はＭＰＵ（Micro Processing Unit）１２が搭載されており、バス１０を介して接続された各構成要素を制御する。
【００１８】
ＲＡＭ（Random Access Memory）１３は、制御部１１のデータ処理に必要な各種データを格納するリード／ライトメモリであり、映像データ等を格納するバッファメモリとして動作する。ＲＯＭ（Read Only Memory）１４は読出し専用メモリであり、制御部１１が実行する制御のプログラムなどを格納している。
【００１９】
フラッシュメモリ１５は、書き換え可能であり、電源を切ってもデータが消えない不揮発性の半導体メモリである。フラッシュメモリ１５は、映像表示装置１が、インターネット上のサーバ或いはデジタル放送から取得した、新規に開発された照明装置に対応する制御プログラム等を記憶する機能を有する。
【００２０】
操作受信部１６は、操作機器１７から送信される操作信号を受信し、制御部１１に転送する。操作機器１７は、例えば、赤外線あるいはBluetooth等による無線通信を利用したリモコン（リモートコントローラ、remote controller）、有線式あるいは無線式キーボード、マウス等であり、操作信号を送出する。操作受信部１６は、そのリモコン、キーボード、マウス等から操作信号を受信する。
【００２１】
映像表示装置１は、送受信部１８を介してインターネット３１に接続されている。これにより、映像表示装置１は、インターネット３１のネットワーク上にあるサーバ等の機器と送受信部１８を介して情報伝送を行なうことができる。
【００２２】
色温度測定部１９は、視聴環境の光源の色温度を測定する機能を有する。色温度測定部１９は、測定された色温度の情報を制御部１１に伝送する。色温度測定部１９は、色温度を測定するためのセンサが収納された受光部１９ａからの信号を受けて、色温度を測定する。受光部１９ａは、映像表示装置１とケーブル（図示せず）によって接続されている。
【００２３】
照明制御部２１は、視聴する環境の照明装置２２の光色（照明色）を制御する。照明制御部２１は、照明装置２２にＲＧＢ制御信号を出力する。照明装置２２は、映像表示装置１の外部に設置され、Ｒ・Ｇ・Ｂ各色の複数の光源を有しており、照明制御部２１から送出されたＲＧＢ制御信号に基づいて様々な光色で発光する。照明装置２２は、例えば、ＲＧＢ各色の高輝度ＬＥＤを複数個組み合わせた照明装置である。照明制御部２１から照明装置２２への通信は、赤外線あるいはBluetooth等による無線通信または有線通信によって行われる。
【００２４】
制御部１１は、キーワード抽出部２３、照明色決定部２４、到達時間算出部２５、光色算出部２６の機能を有する。キーワード抽出部２３は、信号処理部５によってデコードされた放送番組の番組情報に含まれる文字列に基づいて感情の性質キーワードを抽出する。番組情報のデータは、ＳＩ(Service Information、番組配列情報)のＥＩＴ(Event Information Table)に含まれており、番組名、放送概要などの個々の番組に関する情報から文字列を抜き出す。キーワード抽出部２３は、放送番組の番組情報に含まれる文字列と性質キーワードテーブルを照合して性質キーワードを抽出する。
【００２５】
図２は、性質キーワードテーブル４０の例を示す図である。番組名、詳細情報の項目は、放送番組の番組情報に含まれる文字列を示す。感情の性質の項目は、性質キーワードを示す。番組名、詳細情報の項目に対応する性質キーワードは同じ行に示されている。
【００２６】
キーワード抽出部２３は、番組名、放送番組の番組情報に含まれる文字列と、性質キーワードテーブル４０の詳細情報の項目に記載されている文字列とを比較し、出現頻度の多い文字列を探索する。例えば、番組名、放送概要などの番組に関する情報に、「サッカー」が含まれて意おり、他の文字列と比較して出現頻度が多いならば、「サッカー」を主要文字列とする。キーワード抽出部２３は、性質キーワードテーブル４０から「サッカー、格闘技」に対応する性質キーワードとして「激情・怒り・歓喜・活力的・興奮」を抽出する。抽出されたキーワードはＲＡＭ１３に一旦格納される。
【００２７】
照明色決定部２４は、キーワード抽出部２３が抽出した性質キーワードに基づいて視聴環境の照明色を決定する。照明色決定部２４は、性質キーワードに基づいて色と感情の相関関係テーブルから対応する色を抽出し照明色とする。
【００２８】
図３は、色と感情の相関関係テーブル４１の例を示す図である。色と感情の相関関係テーブル４１は、例えば、日本色彩学会発行の色彩化学ハンドブックに掲載されているものを採用すればよい。この色と感情の相関関係テーブル４１の最も右側の項目の感情の性質の項目が図２で示した性質キーワードに相当する。その感情の性質の項目の左側に色の項目があり、感情の性質の其々に対応した色が表示されている。例えば、感情の性質が、「激情・怒り・歓喜・活力的・興奮」の場合には、対応する色は「赤」である。
【００２９】
照明色決定部２４は、ＲＡＭ１３に格納された性質キーワードのデータを取り出し、色と感情の相関関係テーブル４１を参照して、該当する性質キーワードを検索し、性質キーワードに対応した色を抽出して照明色を決定する。例えば、性質キーワードが「激情・怒り・歓喜・活力的・興奮」の場合は、視聴環境の照明色を「赤」と決定する。また、例えば、「安らぎ・くつろぎ・平静・若々しさ」の場合は、「緑」とする。
【００３０】
到達時間算出部２５は、照明色決定部２４で決定された照明色へ変化して最終的に到達するまでの時間を算出する。視聴環境の照明色を急激に変化させると視聴者は違和感を覚えるので、照明色を変化する前の状態から最終的な照明色へ徐々に変化させることが望ましい。到達時間算出部２５は、最終的な視聴環境の照明色へ到達するまでの時間について複数のモードを備えており、例えば、番組情報から番組終了時間を取得し、番組終了時間において最終的な照明色に変化するモード、番組終了時間から所定の時間前に最終的な照明色に変化するモード、変更を始めてから所定時間で最終的な照明色に変化するモード等を備えている。これらのモードは視聴者が選択できる。
【００３１】
光色算出部２６は、照明色を徐々に変化させるために、変化途中の照明色を算出して照明制御部２１へ送出する。最初に到達時間算出部２５によって算出された到達時間を所定の時間間隔で分割したときの分割数（商）を算出する。例えば、最終的な照明色に到達する時間が８０分後であって８分間隔で照明を変化させると、分割数は１０となる（８０÷８＝１０）。時間間隔または分割数は視聴者が選択できる。時間間隔を小さくしたり、分割数を多くすれば照明色は滑らかに変化する。
【００３２】
光色算出部２６は、色温度測定部１９によって測定された照明色が変化する前の色温度による色度値と最終的な照明色の色度値の間を前述した分割数で分割し、分割点毎の色度値を算出する。尚、色度値は色度図における色度座標を示す。例えば、照明色が変化する前の色度値がｘ≒０．３４、ｙ≒０．３５、最終的な照明色の色度値がｘ≒０．４６、ｙ≒０．２９の場合で、この間を１０分割する場合には、１番目の分割点の色度値は、ｘ１＝０．３４＋（０．４６−０．３４）÷１０＝０．３５２、ｙ１＝０．３５＋（０．２９−０．３５）÷１０＝０．３４４となる。光色算出部２６は、色度値をＲＧＢ値に変換して照明制御部２１へ送出する。
【００３３】
図４は、視聴環境の色度値が変化前の状態から変化後の状態に変化することを示した図である。図４は、ＣＩＥ（Commission internationale de l'eclairage、国際照明委員会）１９３１色度図を用いており、内部に黒体輻射の色軌跡を示している。点Ａは、色温度測定部１９によって測定された照明が変化する前の視聴環境の光源（照明）の色温度から算出された色度値（色度座標）である。例えば、点Ａは、色温度が普通の太陽光に近い５０００Ｋの場合であり、色度座標はｘ≒０．３４、ｙ≒０．３５である。点Ｂは、照明色決定部２４で決定された視聴環境の照明色で、例えば、色は「赤」であれば、色度座標はｘ＝０．４６、ｙ＝０．２９である。また「緑」であれば、ｘ＝０．３０、ｙ＝０．６０である。点Ａから点Ｂまで到達時間算出部２５によって算出された時間を経て変化する。
【００３４】
図５は、図４で示した点Ａから点Ｂまでを拡大した図である。例えば、点Ａから点Ｂに到達する時間が８０分後で、８分間隔で照明を変化させると分割数は８０÷８＝１０となる。点Ａから点Ｂに至る線分を１０分割し、分割点を点Ｃ１〜Ｃ９で表す。光色算出部２６は、例えば、点Ｃ１の色度値ｘ１＝０．３５２、ｙ１＝０．３４４の色度値を出力する。光色算出部２６は、点Ａ、Ｂ、Ｃ１〜９の色度値をＲＧＢに変換して照明制御部２１へ送出する。例えば、点Ｂの色度値のＲＧＢ値はＲ２３７、Ｇ２６、Ｂ６１である。
【００３５】
図６は、ＣＩＥ色度図上の色度値（色度座標）からＲＧＢ値を求める一連の式を示した図である。光色算出部２６は、図６に示した計算式によってＲＧＢ値に変換する。図６の最終の３行の示すＲＧＢ値が、照明制御値として照明制御部２１へ出力される。
【００３６】
図７は、映像表示装置１の照明制御の動作フローを示した図である。Ｓ１１において、映像表示装置１は、デジタル放送などのテレビ放送を受信する。Ｓ１２において、キーワード抽出部２３は、番組名、放送番組の番組情報に含まれる文字列と性質キーワードテーブル４０から性質キーワードを抽出する。
【００３７】
Ｓ１３において、照明色決定部２４は、キーワード抽出部２３が抽出した性質キーワードに基づいて視聴環境の照明色を決定する。照明色決定部２４は、性質キーワードに基づいて色と感情の相関関係テーブル４１から対応する色を抽出し照明色を決定する。
【００３８】
Ｓ１４において、色温度測定部１９は、視聴環境の照明の色温度を測定しデータを制御部１１へ伝送する。Ｓ１５において、到達時間算出部２５は、照明色決定部２４で決定された視聴環境の照明色に徐々に変化して到達するまでの到達時間を算出する。
【００３９】
Ｓ１６において、光色算出部２６は、色温度測定部１９によって測定された照明色が変化する前の視聴環境の照明の色温度による色度値と、照明色決定部２４によって決められた最終的な照明色の色度値の間を所定の分割数で分割し、分割点毎の色度値を算出する。光色算出部２６は、色度値をＲＧＢ値へ変換して照明制御部２１へ送出する。
【００４０】
Ｓ１７において、照明制御部２１はＲＧＢ値の制御信号を照明装置２２に送信し、照明装置２２の照明色を制御する。到達時間算出部２５において算出された到達時間において、最終的な照明色に到達して終了する。
【００４１】
以上のように、番組名、放送番組の番組情報に含まれる文字列に基づいて性質キーワードテーブル４０から性質キーワードを抽出し、性質キーワードに基づいて色と感情の相関関係テーブル４１から性質キーワードに対応する色を抽出し視聴環境の照明色を決定する。変化前の視聴環境の照明の色温度を測定し、最終的な照明色に到達するまでの到達時間を算出し、照明色が徐々に変化するように制御しながら最終的な照明色に到達するようにする。このようにすることによって、画像表示装置１の画像の内容に連動して視聴環境の照明を制御することができ、画像表示装置１の画面に映し出された画像の内容をより効果的に提示することができる。また、心理効果のある照明に徐々に変化させることによって、心理的効果のある映像コンテンツの表示が可能となる。
【実施例２】
【００４２】
図８は、実施例２に係わる映像表示装置５０の構成を示すブロック図である。この実施例２の各部について、図１に示す実施例１の映像表示装置１の各部と同一部分は同一符号である。この実施例２が実施例１と異なる点は、制御部１１を制御部５１に代え、制御部５１に画像認識部５２を備えた構成としていることにある。
【００４３】
画像認識部５２は、映像の中の人物の顔認識または動作認識を行う。制御部５１は、放送番組の画像を一旦ＲＡＭ１３に格納する。画像認識部５２は、ＲＡＭ１３に格納した画像データを取り出して、人物の顔認識を行い、人物の感情のレベルを認識する。顔の表情から怒り、不安（恐怖）、喜び、悲哀等の感情のレベルを示す顔感情データを生成する。また、画像認識部５２は、人物の動作から怒り、喜び、悲哀等の感情のレベルを示す動作感情データや、平静、活動、興奮といった運動レベルを示す運動データを生成する。なお、人物の顔認識または動作認識に関する画像認識のやり方については、公知の種々の方法が考案されており、適した方法を採用すればよい。
【００４４】
キーワード抽出部２３は、画像認識部５２から出力された顔感情データ、動作感情データ、運動データに基づいて、感情の性質キーワードを抽出する。キーワード抽出部２３は、顔感情データ、動作感情データ、運動データと性質キーワードテーブル４０の感情の性質の項目の中にある「怒り」「喜び」「平静」「悲哀」等の文言を照合して、最も合致する性質キーワードを抽出する。例えば、顔感情データ、動作感情データが、「怒り」が主体的であれば、性質キーワードとして「感情・怒り・歓喜・活力的・興奮」を抽出する。また、例えば、「悲哀」が主体的であれば、「落ち着き・淋しさ・悲哀・深遠・沈静」を抽出する。性質キーワードが抽出された後の照明制御の動作フローは、実施例１と同様である。
【００４５】
以上のように、画像認識部５２によって出力された顔感情データ、動作感情データ、運動データに基づいて性質キーワードテーブル４０から性質キーワードを抽出し、性質キーワードに基づいて色と感情の相関関係テーブル４１から性質キーワードに対応する色を抽出し視聴環境の照明色を決定する。変化前の視聴環境の照明の色温度を測定し、最終的な照明色に到達するまでの到達時間を算出し、照明色が徐々に変化するように制御しながら最終的な照明色に到達するようにする。このようにすることによって、画像表示装置５０の画像の内容に連動して視聴環境の照明を制御することができ、画像表示装置５０の画面に映し出された画像の内容をより効果的に提示することができる。また、心理効果のある照明に徐々に変化させることによって、心理的効果のある映像コンテンツの表示が可能となる。
【００４６】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００４７】
１  映像表示装置
２  アンテナ
３  チューナ
４  復調器
５  信号処理部
６  映像処理部
７  音声処理部
８  表示装置
９  スピーカ
１０  バス
１１  制御部
１２  ＭＰＵ
１３  ＲＡＭ
１４  ＲＯＭ
１５  フラッシュメモリ
１６  操作受信部
１７  操作機器
１８  送受信部
１９  色温度測定部
１９ａ  受光部
２１  照明制御部
２２  照明装置
２３  キーワード抽出部
２４  照明色決定部
２５  到達時間算出部
２６  光色算出部
３０  放送局
３１  インターネット
４０  性質キーワードテーブル
４１  色と感情の相関関係テーブル
５０  映像表示装置
５１  制御部
５２  画像認識部
【図１】
2011040963.tif 000003
【図２】
2011040963.tif 000004
【図３】
2011040963.tif 000005
【図４】
2011040963.tif 000006
【図５】
2011040963.tif 000007
【図６】
2011040963.tif 000008
【図７】
2011040963.tif 000009
【図８】
2011040963.tif 000010